(57)【要約】【課題】本発明は、水中での近接撮影を行う場合に、被写体にカメラ用水中ケースのレンズ被覆筒部の影を生じさせることがない近距離撮影に好適なカメラ用水中ケースに用いる近距離撮影用アダプタを提供する。【解決手段】本発明は、内蔵ストロボ３３付きのカメラ３１のレンズ部３２を対物レンズに対する光透過可能な状態で覆うレンズ被覆筒部２３と、ストロボ光の透過窓２４とを備えるとともに、内蔵するカメラ３１の外周全体を覆うカメラ用水中ケース２１に用いる近距離撮影用アダプタ１であって、レンズ被覆筒部２３の外周に対して着脱可能に装着される装着部２と、この装着部２に連なるとともに、内蔵ストロボ３３の光照射エリアに臨ませて配置した内蔵ストロボ３３からの光を反射する反射部６並びに内蔵ストロボ３３からの光及び反射部６からの反射光を拡散してレンズ被覆筒部２３の前方に放射する拡散部９を具備し、反射部６、拡散部９の両側を一対の側板部１０で囲んだストロボ光放射部５とを一体に設けたものである。【選択図】図４
2009086266.tif 000002
【特許請求の範囲】
【請求項１】
内蔵するストロボ付きカメラのレンズ鏡筒部を対物レンズに対する光透過可能な状態で覆うレンズ被覆筒部と、ストロボ光の透過窓とを備えるとともに、内蔵するカメラの外周全体を覆うカメラ用水中ケースに用いる近距離撮影用アダプタであって、
前記レンズ被覆筒部の外周に対して着脱可能に装着される装着部と、
この装着部に連なるとともに、前記ストロボの光照射エリアに臨ませて配置した前記ストロボからの光を反射する反射部並びに前記ストロボからの光及び反射部からの反射光を拡散して前記レンズ被覆筒部の前方に放射する拡散部を具備し、前記反射部、拡散部の両側を一対の側板部で囲んだストロボ光放射部と、
を一体に設けたことを特徴とするカメラ用水中ケースに用いる近距離撮影用アダプタ。
【請求項２】
内蔵するストロボ付きカメラの円筒状のレンズ鏡筒部を対物レンズに対する光透過可能な状態で覆うレンズ被覆筒部と、レンズ鏡筒部の上部に設けたストロボが発光するストロボ光の透過窓とを備えるとともに、内蔵するカメラの外周全体を覆うカメラ用水中ケースに用いる近距離撮影用アダプタであって、
前記レンズ被覆筒部の外周に対して着脱可能に装着される円形状の装着部と、
この装着部の上側に連なるとともに、前記ストロボの光照射エリアに臨ませて配置され、上端部に前記ストロボからの光を一定の角度で前記レンズ被覆筒部の前方に向けて反射する反射部を具備し、前記透過窓の直上に前記ストロボからの光及び前記反射部からの反射光を拡散して前記レンズ被覆筒部の前方に放射する傾斜片及び垂直片を連ねた拡散部を具備し、前記反射部、拡散部の両側を一対の側板部で囲んだストロボ光放射部と、
を一体に設けたことを特徴とするカメラ用水中ケースに用いる近距離撮影用アダプタ。
【請求項３】
内蔵するストロボ付きカメラの円筒状のレンズ鏡筒部を対物レンズに対する光透過可能な状態で覆うレンズ被覆筒部と、レンズ鏡筒部の上部に設けたストロボが発光するストロボ光の透過窓とを備えるとともに、内蔵するカメラの外周全体を覆うカメラ用水中ケースに用いる近距離撮影用アダプタであって、
前記レンズ被覆筒部の外周に対して着脱可能に装着される装着部と、
この装着部の上側に連なるとともに、前記ストロボの光照射エリアに臨ませて配置され、上端部に前記ストロボからの光をレンズ被覆筒部の前方に向けて反射し、かつ、反射角度を可変とする状態で回動可能に軸支された反射部を具備し、前記透過窓の直上に前記ストロボからの光及び反射部からの反射光を拡散して前記レンズ被覆筒部の前方に放射する傾斜片及び垂直片を連ねた拡散部を具備し、前記反射部、拡散部の両側を一対の側板部で囲んだストロボ光放射部と、
を一体に設けたことを特徴とするカメラ用水中ケースに用いる近距離撮影用アダプタ。
【発明の詳細な説明】
【技術分野】
【０００１】
本発明は、カメラ用水中ケースに用いる近距離撮影用アダプタに関するものである。
【背景技術】
【０００２】
例えば、図８に示すように内蔵ストロボ５２を有するデジタルカメラ５１をカメラ用水中ケース６１内に収納し、この状態で水中にて被写体７１の撮影を行う場合、水中においては光量が少ないことから内蔵ストロボ５２を発光させて撮影を実行することが通常である。
【０００３】
この場合、被写体７１と、カメラ用水中ケース６１におけるレンズ被覆筒部６２の先端面との距離が例えば１０ｃｍ等のような近距離撮影の際には、内蔵ストロボ５２からのストロボ光の一部がレンズ被覆筒部６２により遮られて被写体７１を明るく照射することができない状態が生じ、この結果、図９に示すように、被写体７１の撮影画像８１においてレンズ被覆筒部６２の影部分６２ａが含まれることになり、良質な撮影画像８１を得ることができないという問題があった。尚、図８においてθは、内蔵ストロボのストロボ光照射角である。
【０００４】
特許文献１には、ストロボ内蔵カメラを収容する防水ケースに対して、内蔵したストロボからの光を近接撮影用レンズの前方近傍位置までガイドする光ガイド手段を着脱可能に備えた水中撮影用アダプタが提案されている。
【０００５】
この特許文献１の場合、近接撮影用レンズの前方近傍位置までストロボからの光をガイドし得るものの、内蔵したストロボからの光の被写体に対する照射範囲を調節することまでは考慮されていない。
【特許文献１】特開２００５−１４８２８２号公報
【発明の開示】
【発明が解決しようとする課題】
【０００６】
本発明が解決しようとする問題点は、カメラ用水中ケース内に内蔵ストロボ付きのカメラを収容し、水中において内蔵ストロボ発光下で被写体の近接撮影を行う場合に、被写体にカメラ用水中ケースのレンズ被覆筒部の影を生じさせることがなく、かつ、ストロボからの光の被写体に対する照射範囲を調節することも可能なカメラ用水中ケースに用いる近距離撮影用アダプタが存在しない点である。
【課題を解決するための手段】
【０００７】
本発明は、内蔵するストロボ付きカメラのレンズ鏡筒部を対物レンズに対する光透過可能な状態で覆うレンズ被覆筒部と、ストロボ光の透過窓とを備えるとともに、内蔵するカメラの外周全体を覆うカメラ用水中ケースに用いる近距離撮影用アダプタであって、前記レンズ被覆筒部の外周に対して着脱可能に装着される装着部と、この装着部に連なるとともに、前記ストロボの光照射エリアに臨ませて配置した前記ストロボからの光を反射する反射部並びに前記ストロボからの光及び反射部からの反射光を拡散して前記レンズ被覆筒部の前方に放射する拡散部を具備し、前記反射部、拡散部の両側を一対の側板部で囲んだストロボ光放射部と、を一体に設けたことを最も主要な特徴とする。
【発明の効果】
【０００８】
請求項１記載の発明によれば、水中において内蔵ストロボ発光下で被写体の近接撮影を行う場合に、レンズ被覆筒部の影を被写体に生じさせないようにし、レンズ被覆筒部の影部分が含まれることのない良質な近接撮影画像を得ることができるカメラ用水中ケースに用いる近距離撮影用アダプタ提供することができる。
【０００９】
請求項２記載の発明によれば、ストロボからの光を一定の角度で前記レンズ被覆筒部の前方に向けて反射する反射部を具備し、前記透過窓の直上に前記ストロボからの光及び前記反射部からの反射光を拡散して前記レンズ被覆筒部の前方に放射する傾斜片及び垂直片を連ねた拡散部を具備する構成で、請求項１記載の発明と同様な効果を奏するカメラ用水中ケースに用いる近距離撮影用アダプタ提供することができる。
【００１０】
請求項３記載の発明によれば、ストロボからの光を角度を替えてレンズ被覆筒部の前方に向けて反射する反射部を具備し、前記透過窓の直上に前記ストロボからの光及び前記反射部からの反射光を拡散して前記レンズ被覆筒部の前方に放射する傾斜片及び垂直片を連ねた拡散部を具備する構成で、請求項１記載の発明と同様な効果を奏し、しかも、レンズ被覆筒部の前方の照射エリアを比較的近距離の範囲で被写体に応じて最適化しつつレンズ被覆筒部の影部分が含まれることのない良質な近接撮影画像を得ることができるカメラ用水中ケースに用いる近距離撮影用アダプタ提供することができる。
【発明を実施するための最良の形態】
【００１１】
本発明は、カメラ用水中ケース内に内蔵ストロボ付きのカメラを収容し、水中において内蔵ストロボ発光下で被写体の近接撮影を行う場合に、被写体にカメラ用水中ケースのレンズ被覆筒部の影を生じさせることがなく、かつ、ストロボからの光の被写体に対する照射範囲を調節することも可能なカメラ用水中ケースに用いる近距離撮影用アダプタを提供するという目的を、内蔵するストロボ付きカメラの円筒状のレンズ鏡筒部を対物レンズに対する光透過可能な状態で覆うレンズ被覆筒部と、レンズ鏡筒部の上部に設けたストロボが発光するストロボ光の透過窓とを備えるとともに、内蔵するカメラの外周全体を覆うカメラ用水中ケースに用いる近距離撮影用アダプタであって、前記レンズ被覆筒部の外周に対して着脱可能に装着される装着部と、この装着部の上側に連なるとともに、前記ストロボの光照射エリアに臨ませて配置され、上端部に前記ストロボからの光をレンズ被覆筒部の前方に向けて反射し、かつ、反射角度を可変とする状態で回動可能に軸支された反射部を具備し、前記透過窓の直上に前記ストロボからの光及び反射部からの反射光を拡散して前記レンズ被覆筒部の前方に放射する傾斜片及び垂直片を連ねた拡散部を具備し、前記反射部、拡散部の両側を一対の側板部で囲んだストロボ光放射部と、を一体に設けた構成により実現した。
【実施例】
【００１２】
以下に、本発明の実施例に係るカメラ用水中ケースに用いる近距離撮影用アダプタについて図面を参照して参照して詳細に説明する。
【００１３】
（実施例１）
図１乃至図５を参照して本実施例１に係るカメラ用水中ケースに用いる近距離撮影用アダプタについて説明する。
【００１４】
本実施例１に係る近距離撮影用アダプタ１は、図１乃至図４に示すように、デジタルカメラ等のような内蔵ストロボ３３を備えたカメラ３１を内部に収容するカメラ用水中ケース２１を構成するケース本体２２の略円筒状のレンズ被覆筒部２３に対して着脱可能に構成され、内蔵ストロボ３３からの光を反射、拡散してレンズ被覆筒部２３の前方近距離エリアに放射するものである。尚、図４において、θはストロボ光照射角である。
【００１５】
前記カメラ用水中ケース２１は、ケース本体２２の前面側において内蔵ストロボ３３を備えるカメラ３１のレンズ部（レンズ鏡筒部）３２をこのレンズ部３２内の対物レンズに対する光透過可能な状態で覆うレンズ被覆筒部２３と、内蔵ストロボ３３からのストロボ光の透過窓２４と、図示しないが外部ストロボを装着するためのケースシュー部２５とを下部から上部に一列に配列している。
【００１６】
本実施例１に係る近距離撮影用アダプタ１は、前記レンズ被覆筒部２３の外周に対して着脱可能に装着される円形状の装着部２と、この装着部２の上側に連なるとともに、前記内蔵ストロボ３３の光照射エリアに臨ませて配置したストロボ光放射部５とを一体化し、全体として装着部２の下端縁が半円状を呈し、ストロボ光放射部５の上端側が四角形状を呈する略箱型状に構成している。
【００１７】
前記装着部２は、前記カメラ用水中ケース２１のレンズ被覆筒部２３が嵌装可能な円形の装着孔３と、この装着孔３の内周壁に設けた係合部４とを具備し、装着孔３を図２、図３に示すように横向き位置で前記レンズ被覆筒部２３に嵌め込み、例えば９０度右回りに回動操作して、前記係合部４を前記レンズ被覆筒部２３の先端外周に設けた係合受部２３ａに係合させることで、図１に示すように、近距離撮影用アダプタ１をケース本体２２の前面に装着固定するように構成している。このとき、前記レンズ被覆筒部２３の係合受部２３ａの部分に設けた突起２３ｂに対して前記装着部２に設けた係合凹部（図示せず）が係合し、これにより、近距離撮影用アダプタ１は、クリック感をもってケース本体２２の前面に装着される。
【００１８】
前記ストロボ光放射部５は、上端部に前記内蔵ストロボ３３からの光を一定の角度で前記レンズ被覆筒部２３の前方に向けて反射する四角形状の反射部６を具備し、また、前記透過窓２４の直上に前記内蔵ストロボ３３からの光及び前記反射部６からの反射光を拡散して前記レンズ被覆筒部２３の前方に放射する四角形状の傾斜片７及び四角形状の垂直片８を連ねた拡散部９を具備している。
【００１９】
さらに、前記ストロボ光放射部５は、前記反射部６、拡散部９の両側を縦長で、前記傾斜片７、垂直片８及び前記装着部２の配置に対応した端縁形状を有する一対の側板部１０、１０で囲んだ構成としている。
【００２０】
前記反射部６、傾斜片７、垂直片８、側板部１０は、例えば光拡散性を有する合成樹脂材により形成している。また、前記反射部６のストロボ光の照射エリアに臨む内面は白色又は金色、銀色等の鏡面としている。特に、前記反射部６のストロボ光の照射エリアに臨む内面を金色等とすることにより、反射光の色温度を変更し、被写体１１に対する照射光を赤味がかかった色とする等、撮影画像１１Ａの色調を調節することができる。
また、前記反射部６、傾斜片７、垂直片８、側板部１０を、光拡散部材入りの半透明白色材料により形成することで、効率の良い拡散光を得ることができ、これにより、前記装着孔３の近傍領域にまで拡散光を導光し、前記装着孔３の前方の極めて近い位置（例えば１ｃｍ、２ｃｍ等）に存在する被写体１１に対してその正面から或いは上から拡散光を照射し、良好な画質の撮影画像１１Ａを得ることが可能となる。
【００２１】
次に、本実施例１に係る近距離撮影用アダプタ１を使用した被写体１１に対する近接撮影動作について、図４、図５をも参照して説明する。
図４に示すように、内蔵ストロボ３３を有する前記カメラ３１をカメラ用水中ケース２１内に収納し、この状態で水中にて内蔵ストロボ３３を発光させ被写体１１の近接撮影を行う。このとき、前記内蔵ストロボ３３からの光の一部は前記反射部６の鏡面に至りここで反射して傾斜片７及び垂直片８に至り拡散して前記レンズ被覆筒部２３の前方の被写体１１に照射される。
【００２２】
また、前記内蔵ストロボ３３から直接傾斜片７及び垂直片８に至る光は、傾斜片７及び垂直片８により拡散されて前記レンズ被覆筒部２３の前方の被写体１１に照射される。
【００２３】
この結果、レンズ被覆筒部２３により遮られる内蔵ストロボ３３からの直接光が届かない被写体１１の表面も上述した拡散光により明るく照射されることになり、前記レンズ被覆筒部２３による影を生じさせない状態となる。
【００２４】
このような本実施例１の態様での近接撮影の実行によって、図５に示すように、前記被写体１１の撮影画像１１Ａは、その表面にレンズ被覆筒部２３の影部分が表出しない良好な画質を有するものとなる。
【００２５】
（実施例２）
図６、図７を参照して本実施例２に係るカメラ用水中ケースに用いる近距離撮影用アダプタ１Ａについて説明する。
【００２６】
本実施例２に係る近距離撮影用アダプタ１Ａは、実施例１に係る近距離撮影用アダプタ１と略同様な構成であるため、前記近距離撮影用アダプタ１と同一の要素には同一の符号を付し、その詳細な説明は省略する。
【００２７】
本実施例２に係る近距離撮影用アダプタ１Ａは、図６、図７に示すように、前記ストロボ光放射部５における鏡面を有する反射部６に代えて、前記内蔵ストロボ３３からの光の反射角度を可変とする状態で回動可能に軸支された鏡面を有する反射部６Ａを具備することが特徴である。
【００２８】
すなわち、前記反射部６Ａと垂直片８及び側板部１０とを分離構成とし、反射部６Ａの両側辺の隅部に小寸法の係合突起６ｂ、６ｂを設けるとともに、一対の側板部１０、１０における前記反射部６Ａの両側辺の隅部に対応する位置に、前記係合突起６ｂ、６ｂが没入する小寸法の係合凹部１０ａ、１０ａを設け、係合突起６ｂ、６ｂと係合凹部１０ａ、１０ａとを各々係合させることで、前記反射部６Ａを係合凹部１０ａ、１０ａを支点として回動可能に支持したことが特徴である。
【００２９】
これにより、反射部６Ａは手動操作にて、図６に示すように、前記内蔵ストロボ３３からの光を、例えば照射角α１、α２、α３・・・のように反射し傾斜片７、垂直片８に照射し、さらに傾斜片７、垂直片８により拡散させて被写体１１に照射するように構成している。
【００３０】
本実施例２に係る近距離撮影用アダプタ１Ａにおいて、前記反射部６Ａ以外の構成は、実施例１に係る近距離撮影用アダプタ１の場合と同一である。
【００３１】
本実施例２に係る近距離撮影用アダプタ１Ａによっても、実施例１に係る近距離撮影用アダプタ１の場合と同様な作用、効果を発揮させることができ、特に、前記反射部６Ａを、前記内蔵ストロボ３３からの光を照射角α１、α２、α３・・・のように角度を変更して反射し傾斜片７、垂直片８に照射し、さらに傾斜片７、垂直片８により拡散させて被写体１１に照射するように構成している。
【００３２】
従って、前記レンズ被覆筒部２３の前方の被写体１１に対する拡散光の照射範囲(照射距離)を、図６に示すように、レンズ被覆筒部２３の先端を基準として距離Ｌ１、Ｌ２、Ｌ３・・・のように種々に調整でき、例えばレンズ被覆筒部２３の先端から数ｃｍ乃至十数ｃｍのように比較的近距離の範囲で被写体１１に対する拡散光の照射エリアを最適化して前記レンズ被覆筒部２３による影を生じさせない良好な画質を有する被写体像を撮影することが可能となる。
【産業上の利用可能性】
【００３３】
本発明の近距離撮影用アダプタは、カメラ用の水中ケースを用いた水中での近接撮影の場合に好適である他、水中ケースを用いない通常のストロボ内蔵カメラの鏡筒部に装着して近接撮影を行う場合等にも好適に応用可能である。
【図面の簡単な説明】
【００３４】
【図１】本発明の実施例１に係るカメラ用水中ケースに用いる近距離撮影用アダプタ及び水中ケースを示す斜視図である。
【図２】本実施例１に係る近距離撮影用アダプタのカメラ用水中ケースに対する装着前の状態を示す斜視図である。
【図３】本実施例１に係る近距離撮影用アダプタのカメラ用水中ケースに対する横向き装着状態を示す斜視図である。
【図４】本実施例１に係る近距離撮影用アダプタをカメラ用水中ケースに装着した状態のストロボ光の反射・拡散状態を示す概略断面図である。
【図５】本実施例１に係る近距離撮影用アダプタをカメラ用水中ケースに装着した状態で撮影した被写体像の一例を示す図である。
【図６】本発明の実施例２に係る近距離撮影用アダプタをカメラ用水中ケースに装着した状態及びストロボ光の反射・拡散状態を示す概略断面図である。
【図７】本実施例に係る近距離撮影用アダプタにおける反射部の構成を示す部分分解斜視図である。
【図８】従来のカメラ用水中ケース内に収容したカメラの内蔵ストロボによるストロボ光の照射角を示す説明図である。
【図９】従来のカメラ用水中ケース内に収容したカメラの内蔵ストロボ発光状態で撮影した被写体の撮影画像例を示す概略図である。
【符号の説明】
【００３５】
１    近距離撮影用アダプタ
１Ａ  近距離撮影用アダプタ
２    装着部
３    装着孔
４    係合部
５    ストロボ光放射部
６    反射部
６Ａ  反射部
６ｂ  係合突起
７    傾斜片
８    垂直片
９    拡散部
１０    側板部
１０ａ  係合凹部
１１    被写体
１１Ａ  撮影画像
２１    カメラ用水中ケース
２２    ケース本体
２３    レンズ被覆筒部
２３ａ  係合受部
２３ｂ  突起
２４    透過窓
２５    ケースシュー部
３１    カメラ
３２    レンズ部
３３    内蔵ストロボ
θ    ストロボ光照射角
α１、α２、α３  照射角
Ｌ１、Ｌ２、Ｌ３  距離
【図１】
2009086266.tif 000003
【図２】
2009086266.tif 000004
【図３】
2009086266.tif 000005
【図４】
2009086266.tif 000006
【図５】
2009086266.tif 000007
【図６】
2009086266.tif 000008
【図７】
2009086266.tif 000009
【図８】
2009086266.tif 000010
【図９】
2009086266.tif 000011